(57)【特許請求の範囲】
【請求項１】
下部にバックビーム（１１）が設置されたリアバンパー（１０）と、
前記リアバンパー（１０）の内部空間の上部に設けられ、前記バックビーム（１１）の上面によって荷重が支持された状態で車両後方にスライド移動されて出し入れされる収納箱（２０）と、
前記収納箱（２０）の一端部に回転可能に設けられ、前記収納箱（２０）を開閉し、外部に露出される面の形状が前記リアバンパー（１０）の車両後方側面の形状と一致するバンパードア（２５）と、を有し、
前記収納箱（２０）は、
内部に収納空間（２１）が設けられ、前記バックビーム（１１）の上面に支持されてスライド移動されるサポートトレー（２２）と、
前記バンパードア（２５）の内側に設けられて、前記サポートトレー（２２）に対して回転可能に設置され、前記サポートトレー（２２）を開閉させるトレーカバー（２３）と、を有し、
一端が前記トレーカバー（２３）の両側面に回転可能に結合され、他端が前記サポートトレー（２２）の両側面に回転可能に結合された複数のリンク部材（２４）を更に有することを特徴とする車両用収納装置。
【請求項２】
前記トレーカバー（２３）は、前記バンパードア（２５）と一体に形成されることを特徴とする請求項１に記載の車両用収納装置。
【請求項３】
前記トレーカバー（２３）と共に車両後方に回転された前記バンパードア（２５）を、ステップ（ｓｔｅｐ）又はベンチ（ｂｅｎｃｈ）として利用可能にすることを特徴とする請求項１に記載の車両用収納装置。
【請求項４】
前記収納箱（２０）の一部がカバーされて支持される状態で前記リアバンパー（１０）の内部空間の上部に設けられ、リアエンドパネル（１２）と前記バックビーム（１１）とに支持されるように設置されるガイドブラケット（３０）を更に有することを特徴とする請求項１に記載の車両用収納装置。
【請求項５】
前記ガイドブラケット（３０）の底面は、前記バックビーム（１１）の上面に設置され、前記ガイドブラケット（３０）の車両前方側面は前記リアエンドパネル（１２）に支持され、前記ガイドブラケット（３０）の上部は前記リアバンパー（１０）の上部に支持されることを特徴とする請求項４に記載の車両用収納装置。
【請求項６】
前記ガイドブラケット（３０）の一端には、ストッパ部（３１）が、下方に向けた折曲形状に設けられ、前記収納箱（２０）が引き出された時に前記収納箱（２０）の内側面が前記ストッパ部によって支持されることを特徴とする請求項４に記載の車両用収納装置。
【請求項７】
前記ガイドブラケット（３０）の他端には車両後方に向けて荷重支持部（３２）が延長形成され、前記収納箱（２０）が引き出された時に前記収納箱（２０）の荷重を支持することを特徴とする請求項４に記載の車両用収納装置。
【請求項８】
前記荷重支持部（３２）の底面と前記バックビーム（１１）の車両後方側面とに固定されて設置され、前記バックビーム（１１）と共に前記収納箱（２０）の荷重を支持する支持ブラケット（３３）を更に有することを特徴とする請求項７に記載の車両用収納装置。
【請求項９】
前記リアバンパー（１０）の車両前方の内部空間にリアフロアパネル（１３）が設置され、前記リアフロアパネル（１３）にガイドレール器具（４０）が設置され、前記ガイドレール器具（４０）の上部に前記収納箱（２０）が設置されて、前記収納箱（２０）が前記バックビーム（１１）上面に設置されることを特徴とする請求項１に記載の車両用収納装置。
【発明の詳細な説明】
【技術分野】
【０００１】
本発明は、車両用収納装置に係り、より詳しくは、リアバンパーの内部空間を収納空間として活用し、収納空間を拡大した車両用収納装置に関する。
【背景技術】
【０００２】
図１は、従来例のトランクルームの空間に収納箱が設けられた車両を示す図である。
図１に示すように、従来例の収納箱２は、トランクリッド３を開放して、収納箱２を引き出す構造であるため、収納物を保管するためにはトランクリッドを開放した後に物品を収納しなければならない煩わしさがあった。また、トランクルーム１の内部が汚れるか、又は物品に湿気がある場合には利用できない短所があった。
【０００３】
図２は、従来例のリアバンパーを収納空間のドアとして利用した車両を示す図である。
図２に示す収納構造はリアバンパー４を開放した後、車両下部に設けられた収納空間５に物品６を保管する構造である。
【０００４】
しかし、図２の従来構造は、リアバンパー４が収納空間５のドアとして利用された構造で、図１の従来構造のように余裕空間に該当するリアバンパー４の内部空間を収納構造で活用することができないので、バンパー自体の収納機能が不足するという短所がある。
また、特許文献１にはリアバンパーに充電コードを収納する収納ボックスが開示されている。
【先行技術文献】
【特許文献】
【０００５】
【特許文献１】特開第２０１０−１７９７８５公報
【発明の概要】
【発明が解決しようとする課題】
【０００６】
本発明は、上記のような従来の問題点を解決するためになされたものであって、本発明の目的は、リアバンパー内側の未利用空間を積極的に利用する車両用収納装置を提供することにある。
また、本発明の他の目的は、引き出しされたリアバンパーの構造変更を通じて収納空間を拡張できるようにされた車両用収納装置を提供することにある。
【課題を解決するための手段】
【０００７】
かかる課題を解決するための本発明の車両用収納装置は、下部にバックビームが設置されたリアバンパーと、リアバンパーの内部空間の上部に設けられ、バックビーム１１の上面によって荷重が支持された状態で車両後方にスライド移動されて出し入れされる収納箱と、収納箱の一端部に回転可能に設けられ、収納箱を開閉し、車両後方に露出される面の形状がリアバンパーの車両後方側面の形状と一致するバンパードアと、を有することを特徴とする。
【０００８】
また本発明は、収納箱が、内部に収納空間が設けられ、バックビームの上面に支持されてスライド移動されるサポートトレーと、バンパードアの内側に設けられて、サポートトレーに対して回転可能に設置され、サポートトレーを開閉させるトレーカバーと、を有することを特徴とする。
【０００９】
また本発明は、一端がトレーカバーの両側面に回転可能に結合され、他端がサポートトレーの両側面に回転可能に結合された複数のリンク部材を更に有することを特徴とする。
また本発明のトレーカバーは、バンパードアと一体に形成されることを特徴とする。
【００１０】
また本発明は、トレーカバーと共に車両の後方に回転されたバンパードアを、ステップ（ｓｔｅｐ）又はベンチ（ｂｅｎｃｈ）として利用可能にすることを特徴とする。
また本発明は、収納箱の一部がカバーされて支持される状態でリアバンパーの内部空間の上部に設けられ、リアエンドパネルとバックビームとに支持されるように設置されるガイドブラケットを更に有することを特徴とする。
【００１１】
また本発明は、ガイドブラケット３０の底面が、バックビーム１１の上面に設置され、ガイドブラケット３０の車両前方側面はリアエンドパネル１２に支持され、ガイドブラケット３０の上部はリアバンパー１０の上部に支持されることを特徴とする。
また本発明は、ガイドブラケットの一端に、ストッパ部が下方に向けて折曲形成され、収納箱が引き出された時に収納箱の内側面がストッパ部に支持されることを特徴とする。
また本発明は、ガイドブラケットの他端には車両後方に向けて荷重支持部が延長形成され、収納箱が引き出された時に収納箱の荷重を支持することを特徴とする。
【００１２】
また本発明は、荷重支持部の底面とバックビームの車両後方側面とに固定されて設置され、バックビームと共に収納箱の荷重を支持する支持ブラケットを更に有することを特徴とする。
また本発明は、リアバンパーの車両前方の内部空間にリアフロアパネルが設置され、リアフロアパネルにガイドレール器具が設置され、ガイドレール器具の上部に収納箱が設置されて、収納箱がバックビーム上面に設置されることを特徴とする。
【発明の効果】
【００１３】
本発明の車両用収納装置は、収納空間を有する収納箱が、リアバンパーの上部に設けられた空間に設置され、外部に引き出されることで、車両内の収納空間を拡張し物品を収納する機能を強化することができる。
【００１４】
また、本発明の車両用収納装置は、バンパードアの上面が一定の面積を有するように構成されているので、バンパードアをリンク機構によって下部に回転して収納箱を開放した時に、バンパードアをステップ（ｓｔｅｐ）又はベンチ（ｂｅｎｃｈ）として利用するか、又は開放されたバンパードア上に物品を載せておいて使用することができるので、車両の商品価値を向上させることができる。
【００１５】
また、本発明の車両用収納装置は、ガイドブラケットが、リアエンドパネルとバックビームとに同時に固定されているので、収納箱の出し入れによって収納装置が受ける荷重を確実に支持することができる。
【００１６】
また本発明の車両用収納装置は、収納箱がバックビームの上方に設置されているので、バックビームとは干渉せず、また、車室空間に侵入しないので、収納装置のレイアウトを最適化させることができる。
【００１７】
更に本発明の車両用収納装置は、収納箱を引き出した状態でバンパードアを下部に回転移動させることができるので、サポートトレー上面の収納空間とバンパードア上面の空間とを共に利用して収納空間をより拡張することができ、これにより長い物品を効果的に積載することができる。
【図面の簡単な説明】
【００１８】
【図１】従来例のトランクルームの空間に収納箱が設けられた車両を示す図である。
【図２】従来例のリアバンパーを収納空間のドアとして利用した車両を示す図である。
【図３】本発明の収納装置の収納箱が車両に収容されている状態を示す図である。
【図４】本発明の収納装置の収納箱が車両に収容されている状態でバンパードアが開放されている状態を示す図である。
【図５】本発明の収納装置の収納箱が引き出されている状態を示す図である。
【図６】本発明の収納装置の収納箱が引き出されている状態でバンパードアが開放されている状態を示す図である。
【図７】本発明のバンパードアがステップとして利用される状態を示した図である。
【図８】本発明のバンパードアがベンチとして利用される状態を示した図である。
【発明を実施するための形態】
【００１９】
以下に添付図面を参照して、本発明の車両用収納装置を詳細に説明する。
図３は、本発明の収納装置の収納箱が車両に収容されている状態を示す図であり、図４は図３の状態でバンパードアが開放されている状態を示す図であり、図５は、収納箱が引き出されている状態を示す図であり、図６は、図５の状態でバンパードアが開放されている状態を示す図である。
【００２０】
図３ないし図６に示すように、本発明の車両用収納装置は、未利用空間である、リアバンパー１０の上部内側空間を利用する構造体であって、下部にバックビーム１１が設置されたリアバンパー１０と、リアバンパー１０の内側空間の上部に設けられ、バックビーム１１の上面によって荷重が支持された状態で車両後方にスライド移動されて出し入れされる収納箱２０と、リアバンパー１０一部であって、車両後方側面がリアバンパー１０の外面と同一面をなし、収納箱２０の一端部に回転可能に連結されて収納箱２０を開閉するバンパードア２５と、を有する。
【００２１】
即ち、本発明の車両用収納装置は、リアバンパー１０の上部に設けられた空間に、バックビーム１１に支持されて外部へ引き出し可能な収納箱２０が設置され、収納箱２０の端部にバンパードア２５が開閉可能に設置されることで、車両内の収納空間２１を増大させることができる。
【００２２】
本発明の収納箱２０は、内部に収納空間２１が設けられ、バックビーム１１上部に支持されてスライド移動されるサポートトレー２２と、バンパードア２５の内部側に設けられ、サポートトレー２２に対して回転可能に設置されてサポートトレー２２を開閉するトレーカバー２３と、を有する。収納箱２０を引き出してサポートトレー２２に設けられた収納空間２１に物品を収容することができる。
【００２３】
収納箱２０を引き出した状態でバンパードア２５を開放して、収納箱２０の開放ができることで、サポートトレー２２上面の空間とバンパードア２５の上面の空間と、を共に活用して、収納空間２１をより拡張させることができる。これにより長い物品の積載も可能になる。
【００２４】
サポートトレー２２は、引き出された状態及び車両に収容された状態で収納空間２１を提供する。またサポートトレー２２はさまざまな形状に変形可能で、多様な形態の物品の収納空間２１を提供することができる。
【００２５】
トレーカバー２３とバンパードア２５とは、使用者の利便性を確保するために一体で結合されることが望ましい。
即ち、図４、６に示すように、バンパードア２５をリアバンパー１０から車両後方に回転させれば、トレーカバー２３も一緒に回転する構造である。これによって使用者は、収納空間２１を利用する時にバンパードア２５を回転させた後に、別途にトレーカバー２３を回転させる必要がないので、収納空間２１が便利に使用できる。
【００２６】
本発明は、トレーカバー２３を回転させるために複数のリンク部材２４を備える。リンク部材２４の一端はトレーカバー２３の両側面にヒンジ２４ａを介して回転可能に結合され、リンク部材２４の他端はサポートトレー２２の両側面にヒンジ２４ｂを介して回転可能に結合される。
【００２７】
図４、６は、トレーカバー２３及びバンパードア２５が車両後方に回転されて収納箱２０が開放された状態を示す図である。トレーカバー２３の前端部が、車両後方側のリンク部材２４のヒンジ２４ｂと干渉して係止され、トレーカバー２３の開放角が規制される。
【００２８】
図７は、本発明によるバンパードアがステップとして利用される状態を示した図であり、図８は、ベンチとして利用される状態を示した図である。
本発明の収納装置は、図６に示すようにバンパードア２５をトレーカバー２３と共に車両の後方に回転させると、バンパードア２５の一端がリアバンパー１０の上部側と一致する。これによって、図７及び図８に示すように、バンパードア２５が、ステップ又はベンチとして利用可能になる。
【００２９】
図３に示すように、バンパードア２５の一端がリアバンパー１０の上部側に一致し、バンパードア２５の他端がリアバンパー１０の下部側に一致するように形成されることで、バンパードア２５の車両後方側面がリアバンパー１０の車両後方側面と一致するように形成される。
【００３０】
したがって、バンパードア２５を閉鎖した時には、バンパードア２５がリアバンパー１０の一部になり、バンパードア２５をリアバンパー１０の車両後方側に移動させて開放した時には、バンパードア２５をステップ（ｓｔｅｐ）又はベンチ（ｂｅｎｃｈ）として利用するか、又は開放されたバンパードア２５上に物品を載せて、使用することができる。
【００３１】
また、図５に示すように、トレーカバー２３の内部空間と収納空間２１とを連通するようすることで、バンパードア２５を閉鎖した時に、物品を、連通された収納空間２１と、トレーカバー２３の内部に設けられた空間と、に収容することができるので、収納空間２１を更に拡張することができる。
【００３２】
図３及び図５に示すように、本発明は、収納箱２０の一部がカバーされて支持される状態でリアバンパー１０の上部空間にガイドブラケット３０が設けられる。ガイドブラケット３０はリアエンドパネル１２とバックビーム１１に支持されるように設置される。
【００３３】
ガイドブラケット３０は、底面がバックビーム１１の上面に接し、ガイドブラケット３０の車両前方側面がリアエンドパネル１２に支持され、ガイドブラケット３０の上部がトランクリッド１４の下部に設置されたリアバンパー１０の上部側に支持される。
【００３４】
即ち、ガイドブラケット３０が、リアエンドパネル１２とバックビーム１１とに同時に支持されることで、収納箱２０を引き出した時に収納装置にかかる荷重を支持することができる。
【００３５】
ガイドブラケット３０の底部内側上面、又はサポートトレー２２の底面にローラー又は軸受などの連結構造が設けられ、サポートトレー２２とガイドブラケット３０とが接触した状態で安定してスライド移動されるように構成され、収納箱２０がスライド移動して出し入れされる。
また、ガイドブラケット３０とサポートトレー２２には、図示しない別途の連結装置が設けられ、収納箱２０が固定される。
【００３６】
図４及び図６に示すように、本発明のガイドブラケット３０の一端には、下部に向けてストッパ部３１が折曲形成されて、収納箱２０の引き出し時に収納箱２０の内側面がストッパ部３１に支持される。
【００３７】
即ち、収納箱２０が引き出された時に、収納箱２０の車両進行方向前方に垂直に形成された内側面の上端部が、ストッパ部３１に係止されて支持されることで、収納箱２０が所定の区間外に引き出されるのを防止すると共に、収納箱２０の荷重によって収納箱２０がリアバンパー１０の外部側に転落するのを防止する。
【００３８】
ガイドブラケット３０の他端には、荷重支持部３２が車両後方に向けて延長形成され、収納箱２０が引き出された時に荷重支持部３２が収納箱２０の荷重を支持する。
即ち、収納箱２０を引き出した時に、バックビーム１１と共にガイドブラケット３０の他端が収納箱２０の荷重を支持するが、荷重支持部３２が収納箱２０の引き出し方向に延長して形成されることで、下方への支持力が確保され、収納装置にかかる荷重がより安定、確実に支持される。
【００３９】
本発明は、バックビーム１１と共に収納箱２０の荷重を支持する支持ブラケット３３が、荷重支持部３２の底面とバックビーム１１の後方面とに固定されて設置される。支持ブラケット３３は断面が『Ｌ』型に形成され、バックビーム１１の後面及びガイドブラケット３０の底面に固定され、垂直下方への荷重に対する支持力を確保する。
【００４０】
図３に示すように、本発明は、リアバンパー１０の車両前方側のリアフロアパネル１３にガイドレール器具４０を設置し、ガイドレール器具４０の上部側に収納箱２０を連結して、収納箱２０をバックビーム１１の上部に設置する。ここで、ガイドレール器具４０は直線運動案内（Ｌｉｎｅａｒ  Ｍｏｔｉｏｎ  ｇｕｉｄｅ、ＬＭガイド）である。
【００４１】
即ち、リアフロアパネル１３の下部にガイドレール４１が設置され、ガイドレール４１に案内されて直線往復移動できるようにサドル４２が結合され、サドル４２上部側に収納箱２０が結合されるか、又は別途の連結ブラケットを通じて上部側に収納箱２０が結合されて、収納箱２０がバックビーム１１上部に設置される。
【００４２】
したがって、収納箱２０は、リアフロアパネル１３を貫通することなく、又バックビーム１１に干渉されることなく、リアバンパー１０上部に出し入れ可能に設けることができる。これによって、収納装置のレイアウトを最適化することができる。
また、収納箱２０を引き出した時に、サドル４２又は連結ブラケットをバックビーム１１の車両前方側の側面に係止させることで、サドル４２又は連結ブラケットに収納箱２０の過度な引き出しを防止するストッパの役割をさせることができる。
【００４３】
以上、本発明に関する好ましい実施形態を説明したが、本発明は前記実施形態に限定されず、本発明の属する技術範囲を逸脱しない範囲での全ての変更が含まれる。
【符号の説明】
【００４４】
１０      リアバンパー
１１      バックビーム
１２      リアエンドパネル
１３      リアフロアパネル
１４      トランクリッド
２０      収納箱
２１      収納空間
２２      サポートトレー
２３      トレーカバー
２４      リンク部材
２５      バンパードア
３０      ガイドブラケット
３１      ストッパ部
３２      荷重支持部
３３      支持ブラケット
４０      ガイドレール器具
４１      ガイドレール
４２      サドル
【図１】
0005993136.tif 000002
【図２】
0005993136.tif 000003
【図３】
0005993136.tif 000004
【図４】
0005993136.tif 000005
【図５】
0005993136.tif 000006
【図６】
0005993136.tif 000007
【図７】
0005993136.tif 000008
【図８】
0005993136.tif 000009